(57)【要約】【課題】設計の自由度を高くする。【解決手段】インクカートリッジ１０に、スピーカ１３と、貯留されているインクの色、容量、及び仕向け地域の情報を記憶するカートリッジ情報記憶部１６とを設ける。また、本体部に、装着部５ａ〜５ｄに装着された４つのインクカートリッジ１０に対して、カートリッジ情報記憶部１６に記憶されているインクの色、容量、及び仕向け地域のいずれかの情報に特有の音声を発するように要求する要求信号を順番に出力する発音要求部６２と、各インクカートリッジ１０のスピーカ１３から発せられた音声を受信するマイク８とを設ける。さらに、発音要求部６２が要求信号を出力すると、カートリッジ情報記憶部１６に記憶されているインクの色、容量、及び仕向け地域のいずれかの情報を、当該情報に特有の音声信号に変換してスピーカ１３に出力する音声信号生成部１８を設ける。【選択図】図２
2010234645.tif 000002
【特許請求の範囲】
【請求項１】
インクを貯留するインクカートリッジと、前記インクカートリッジが着脱自在に装着される装着部を有する本体部とを備えており、前記インクカートリッジから供給されるインクにより記録を行う記録装置であって、
前記インクカートリッジが、
音声信号を音声に変換して出力する音声出力手段と、
前記インクカートリッジに関する情報を記憶するカートリッジ情報記憶手段とを備えており、
前記本体部が、
前記装着部に装着された前記インクカートリッジに対して、音声を発するように要求する要求信号を出力する発音要求手段と、
前記音声出力手段から発せられた音声を受信する音声受信手段とを備えており、
前記記録装置は、前記発音要求手段が前記要求信号を出力すると、前記カートリッジ情報記憶手段に記憶されている情報を、当該情報に特有の音声信号に変換して前記音声出力手段に出力する音声信号生成手段を備えていることを特徴とする記録装置。
【請求項２】
前記本体部が、
前記装着部に装着すべき前記インクカートリッジの前記音声出力手段が発する音声に関する情報を記憶する判断情報記憶手段と、
前記音声受信手段が受信した音声が、前記判断情報記憶手段に記憶されている情報に係る音声と一致する否かを判断する判断手段とをさらに備えていることを特徴とする請求項１に記載の記録装置。
【請求項３】
前記音声受信手段が受信した音声と前記判断情報記憶手段に記憶されている情報に係る音声とが一致しないと前記判断手段が判断した場合に、前記インクカートリッジが誤装着又は未装着である旨を報知する報知手段をさらに備えていることを特徴とする請求項２に記載の記録装置。
【請求項４】
前記本体部は、複数の前記インクカートリッジが装着される複数の前記装着部を有しており、
前記発音要求手段が、複数の前記装着部に装着された複数の前記インクカートリッジに対して前記要求信号を順番に出力することを特徴とする請求項１〜３のいずれか１項に記載の記録装置。
【請求項５】
前記本体部は、複数の前記インクカートリッジが装着される複数の前記装着部を有しており、
各装着部に装着される前記インクカートリッジの前記カートリッジ情報記憶手段が、他の前記インクカートリッジの前記カートリッジ情報記憶手段に記憶されているのとは異なる情報を記憶しており、
前記音声信号生成手段は、各インクカートリッジの前記カートリッジ情報記憶手段に記憶されている情報に基づいて、各インクカートリッジの前記音声出力手段に対して、前記音声出力手段から出力される音声の周波数が他の前記インクカートリッジの前記音声出力手段から出力されるのとは異なるものとなるような音声信号を出力し、
前記発音要求手段が、複数の前記装着部に装着された複数の前記インクカートリッジに対して前記要求信号を同時に出力することを特徴とする請求項１〜３のいずれか１項に記載の記録装置。
【請求項６】
複数の前記装着部に装着された複数の前記インクカートリッジが、互いに異なる色のインクを貯留しており、
各装着部に装着される前記インクカートリッジの前記カートリッジ情報記憶手段が、貯溜するインクの色を一項目として含む情報を記憶しており、
前記発音要求手段は、複数の前記装着部に装着された複数の前記インクカートリッジに対して、各インクカートリッジが貯溜するインクの色を示す周波数を有する音声を発することを要求する前記要求信号を順番に出力し、その後、各装着部に装着される前記インクカートリッジの前記カートリッジ情報記憶手段が記憶する情報に係る色以外の項目を示す周波数を有する音声を発すること要求する前記要求信号を同時に出力することを特徴とする請求項５に記載の記録装置。
【請求項７】
前記本体部は、複数の前記インクカートリッジが装着される複数の前記装着部を有しており、
各装着部に装着される前記インクカートリッジの前記カートリッジ情報記憶手段が、他の前記インクカートリッジの前記カートリッジ情報記憶手段に記憶されているのとは異なる情報を記憶しており、
前記判断情報記憶手段が、それぞれが１つの前記装着部に関連付けられた複数の音声パターンと、前記インクカートリッジの前記音声出力手段が発する音声に係る各インクカートリッジに特有の周波数との一対一の組合せに係る情報を記憶しており、
前記発音要求手段が、前記判断情報記憶手段に記憶された前記組合せに係る情報に基づいて、前記複数の装着部に装着された前記複数のインクカートリッジに対して、前記複数の音声パターンのうち各装着部に関連付けられた前記音声パターンで音声を発するように要求する前記要求信号を同時に出力し、
前記音声信号生成手段は、各インクカートリッジの前記カートリッジ情報記憶手段に記憶されている情報に基づいて、各インクカートリッジの前記音声出力手段に対して、前記音声出力手段から出力される音声が他の前記インクカートリッジの前記音声出力手段から出力されるのとは周波数が異なり且つ前記要求信号の要求に係る前記音声パターンを有することとなるような音声信号を出力することを特徴とする請求項２又は３に記載の記録装置。
【請求項８】
複数の前記装着部に装着された複数の前記インクカートリッジが、互いに異なる色のインクを貯留しており、
各装着部に装着される前記インクカートリッジの前記カートリッジ情報記憶手段が、貯溜するインクの色を一項目として含む情報を記憶していることを特徴とする請求項７に記載の記録装置。
【請求項９】
前記音声出力手段が、可聴域外の周波数の音声を発することを特徴とする請求項１〜８のいずれか１項に記載の記録装置。
【請求項１０】
前記本体部は、前記音声受信手段が受信した音声を前記インクカートリッジに関する情報に変換する情報取得手段と、
前記情報取得手段における変換によって生成された前記インクカートリッジに関する情報を記憶する取得情報記憶手段とをさらに備えていることを特徴とする請求項１〜９のいずれか１項に記載の記録装置。
【請求項１１】
互いに異なる色のインクを貯留する複数のインクカートリッジと、各インクカートリッジが着脱自在に装着される複数の装着部を有する本体部とを有しており、前記インクカートリッジから供給されるインクにより記録を行う記録装置であって、
各インクカートリッジが、
音声信号を音声に変換して出力する音声出力手段と、
他の前記インクカートリッジに記憶されているのとは異なる情報を記憶するカートリッジ情報記憶手段とを備えており、
前記本体部が、
各装着部に装着された前記インクカートリッジに対して、装着されるべき装着部に装着されているか否かの確認信号を出力する確認信号出力手段と、
前記音声出力手段から発せられた音声を受信する音声受信手段とを備えており、
各インクカートリッジは、前記確認信号出力手段が出力した確認信号と前記カートリッジ情報記憶手段に記憶された情報とに基づいて、装着されるべき装着部に装着されているか否かを判断する判断手段をさらに備えており、
前記記録装置は、装着されるべき装着部に装着されていると前記判断手段が判断すると、音声信号を生成して当該インクカートリッジの前記音声出力手段に出力する音声信号生成手段を備えていることを特徴とする記録装置。
【請求項１２】
前記確認信号出力手段が確認信号を出力した後、前記音声受信手段が音声を受信しなかった場合に、前記インクカートリッジが誤装着又は未装着である旨を報知する報知手段をさらに備えていることを特徴とする請求項１１に記載の記録装置。
【請求項１３】
前記音声出力手段が、可聴域外の周波数の音声を発することを特徴とする請求項１１又は１２に記載の記録装置。
【発明の詳細な説明】
【技術分野】
【０００１】
本発明は、インクを貯留するインクカートリッジ及びインクカートリッジが装着される装着部を有する本体部を備えた記録装置に関する。
【背景技術】
【０００２】
従来、記録装置の本体部に着脱可能に装着され、記録装置の記録ヘッドにインクを供給するインクカートリッジが知られている。特許文献１には、上述のようなインクカートリッジであって、貯留しているインクの色情報等のインクカートリッジに関する情報を記憶する記憶手段と、ＬＥＤ等の発光部と、記憶手段に記憶されている情報に応じて発光部の点灯・消灯を制御する制御手段とを備えたものが開示されている。そして、かかるインクカートリッジが用いられる記録装置の本体部には、装着されたインクカートリッジの発光部からの光を受光する受光部が設けられている。したがって、特許文献１の記録装置においては、インクカートリッジからの光を受光部で受光することにより、装着されたインクカートリッジの情報を本体部側に伝達できる。よって、本体部に装着されたインクカートリッジのインクの色が、本来装着すべきインクカートリッジのインクの色と異なる等の誤装着を検知できる。
【先行技術文献】
【特許文献】
【０００３】
【特許文献１】特開２００６−１４２４８４号公報
【発明の概要】
【発明が解決しようとする課題】
【０００４】
しかしながら、上述の記録装置においては、インクカートリッジが本体部に装着された状態で発光部から発せられる光の光路上に受光部が位置している必要がある。すなわち、発光部と受光部との位置が制約されるので、設計の自由度が低下する。
【０００５】
そこで、本発明の目的は、設計の自由度が高い記録装置を提供することである。
【課題を解決するための手段】
【０００６】
本発明の記録装置は、インクを貯留するインクカートリッジと、前記インクカートリッジが着脱自在に装着される装着部を有する本体部とを備えており、前記インクカートリッジから供給されるインクにより記録を行う記録装置である。前記インクカートリッジが、音声信号を音声に変換して出力する音声出力手段と、前記インクカートリッジに関する情報を記憶するカートリッジ情報記憶手段とを備えている。また、前記本体部が、前記装着部に装着された前記インクカートリッジに対して、音声を発するように要求する要求信号を出力する発音要求手段と、前記音声出力手段から発せられた音声を受信する音声受信手段とを備えている。そして、前記記録装置は、前記発音要求手段が前記要求信号を出力すると、前記カートリッジ情報記憶手段に記憶されている情報を、当該情報に特有の音声信号に変換して前記音声出力手段に出力する音声信号生成手段を備えている。
【０００７】
この構成によると、音声出力手段から出力された音声を音声受信手段で受信することによって、装着されたインクカートリッジの情報を本体部に伝達できる。また、インクカートリッジに備えられる音声出力手段と、本体部に備えられる音声受信手段との配置位置は制限されない。すなわち、音声出力手段と音声受信手段とは自由に配置できる。したがって、設計の自由度が上がる。
【０００８】
本発明の記録装置では、前記本体部が、前記装着部に装着すべき前記インクカートリッジの前記音声出力手段が発する音声に関する情報を記憶する判断情報記憶手段と、前記音声受信手段が受信した音声が、前記判断情報記憶手段に記憶されている情報に係る音声と一致する否かを判断する判断手段とをさらに備えていてもよい。この構成によると、装着部に装着すべきインクカートリッジが装着されているか否かを判断できる。
【０００９】
本発明の記録装置は、前記音声受信手段が受信した音声と前記判断情報記憶手段に記憶されている情報に係る音声とが一致しないと前記判断手段が判断した場合に、前記インクカートリッジが誤装着又は未装着である旨を報知する報知手段をさらに備えていてもよい。この構成によると、インクカートリッジが誤装着又は未装着である旨を使用者に知らせることができる。
【００１０】
本発明の記録装置では、前記本体部は、複数の前記インクカートリッジが装着される複数の前記装着部を有しており、前記発音要求手段が、複数の前記装着部に装着された複数の前記インクカートリッジに対して前記要求信号を順番に出力してもよい。この構成によると、音声受信手段は、各装着部に装着された複数のインクカートリッジから発せられる音声を順番に受信する。よって、どの装着部に装着されたインクカートリッジから発せられた音声なのかを識別できる。
【００１１】
本発明の記録装置では、前記本体部は、複数の前記インクカートリッジが装着される複数の前記装着部を有しており、各装着部に装着される前記インクカートリッジの前記カートリッジ情報記憶手段が、他の前記インクカートリッジの前記カートリッジ情報記憶手段に記憶されているのとは異なる情報を記憶しており、前記音声信号生成手段は、各インクカートリッジの前記カートリッジ情報記憶手段に記憶されている情報に基づいて、各インクカートリッジの前記音声出力手段に対して、前記音声出力手段から出力される音声の周波数が他の前記インクカートリッジの前記音声出力手段から出力されるのとは異なるものとなるような音声信号を出力し、前記発音要求手段が、複数の前記装着部に装着された複数の前記インクカートリッジに対して前記要求信号を同時に出力してもよい。この構成によると、音声の出力及びその受信の処理を短時間で済ませることができる。また、周波数の違いにより、各インクカートリッジから発せられる音声を区別して受信できる。
【００１２】
本発明の記録装置では、複数の前記装着部に装着された複数の前記インクカートリッジが、互いに異なる色のインクを貯留しており、各装着部に装着される前記インクカートリッジの前記カートリッジ情報記憶手段が、貯溜するインクの色を一項目として含む情報を記憶しており、前記発音要求手段は、複数の前記装着部に装着された複数の前記インクカートリッジに対して、各インクカートリッジが貯溜するインクの色を示す周波数を有する音声を発することを要求する前記要求信号を順番に出力し、その後、各装着部に装着される前記インクカートリッジの前記カートリッジ情報記憶手段が記憶する情報に係る色以外の項目を示す周波数を有する音声を発すること要求する前記要求信号を同時に出力してもよい。
【００１３】
なお、「前記カートリッジ情報記憶手段が記憶する情報に係る色以外の項目」とは、例えば、インクカートリッジの仕向けや容量を意味する。
【００１４】
この構成によると、各インクカートリッジから順番に音声を発することで、どの装着部に装着されたインクカートリッジから発せられた音声なのかを識別できる。その後同時に音声を発することで、音声の出力及びその受信の処理を短時間で済ませることができる。
【００１５】
本発明の記録装置では、前記本体部は、複数の前記インクカートリッジが装着される複数の前記装着部を有しており、各装着部に装着される前記インクカートリッジの前記カートリッジ情報記憶手段が、他の前記インクカートリッジの前記カートリッジ情報記憶手段に記憶されているのとは異なる情報を記憶しており、前記判断情報記憶手段が、それぞれが１つの前記装着部に関連付けられた複数の音声パターンと、前記インクカートリッジの前記音声出力手段が発する音声に係る各インクカートリッジに特有の周波数との一対一の組合せに係る情報を記憶しており、前記発音要求手段が、前記判断情報記憶手段に記憶された前記組合せに係る情報に基づいて、前記複数の装着部に装着された前記複数のインクカートリッジに対して、前記複数の音声パターンのうち各装着部に関連付けられた前記音声パターンで音声を発するように要求する前記要求信号を同時に出力し、前記音声信号生成手段は、各インクカートリッジの前記カートリッジ情報記憶手段に記憶されている情報に基づいて、各インクカートリッジの前記音声出力手段に対して、前記音声出力手段から出力される音声が他の前記インクカートリッジの前記音声出力手段から出力されるのとは周波数が異なり且つ前記要求信号の要求に係る前記音声パターンを有することとなるような音声信号を出力してもよい。
【００１６】
この構成によると、受信した音声の周波数及び音声パターンの組合せにより、どの装着部に装着されたインクカートリッジから発せられた音声なのかを識別できる。
【００１７】
本発明の記録装置では、複数の前記装着部に装着された複数の前記インクカートリッジが、互いに異なる色のインクを貯留しており、各装着部に装着される前記インクカートリッジの前記カートリッジ情報記憶手段が、貯溜するインクの色を一項目として含む情報を記憶していてもよい。この構成によると、装着部に装着すべき色のインクカートリッジが装着されているかを確認できる。
【００１８】
本発明の記録装置では、前記音声出力手段が、可聴域外の周波数の音声を発することが好ましい。この構成によると、発せられる音声を使用者に聞こえないようにすることができる。
【００１９】
本発明の記録装置では、前記本体部は、前記音声受信手段が受信した音声を前記インクカートリッジに関する情報に変換する情報取得手段と、前記情報取得手段における変換によって生成された前記インクカートリッジに関する情報を記憶する取得情報記憶手段とをさらに備えていてもよい。この構成によると、カートリッジの情報を音声により取得し、記憶することができる。
【００２０】
別の観点において、本発明の記録装置は、互いに異なる色のインクを貯留する複数のインクカートリッジと、各インクカートリッジが着脱自在に装着される複数の装着部を有する本体部とを有しており、前記インクカートリッジから供給されるインクにより記録を行う記録装置である。各インクカートリッジが、音声信号を音声に変換して出力する音声出力手段と、他の前記インクカートリッジに記憶されているのとは異なる情報を記憶するカートリッジ情報記憶手段とを備えている。また、前記本体部が、各装着部に装着された前記インクカートリッジに対して、装着されるべき装着部に装着されているか否かの確認信号を出力する確認信号出力手段と、前記音声出力手段から発せられた音声を受信する音声受信手段とを備えている。各インクカートリッジは、前記確認信号出力手段が出力した確認信号と前記カートリッジ情報記憶手段に記憶された情報とに基づいて、装着されるべき装着部に装着されているか否かを判断する判断手段をさらに備えている。そして、前記記録装置は、装着されるべき装着部に装着されていると前記判断手段が判断すると、音声信号を生成して当該インクカートリッジの前記音声出力手段に出力する音声信号生成手段を備えて。
【００２１】
この構成によると、音声出力手段から出力された音声を音声受信手段で受信することによって、インクカートリッジが、装着されるべき装着部に装着されていることを本体部に伝達できる。また、インクカートリッジに備えられる音声出力手段と、本体部に備えられる音声受信手段との配置位置は制限されない。すなわち、音声出力手段と音声受信手段とは自由に配置できる。したがって、設計の自由度が上がる。
【００２２】
本発明の記録装置では、前記確認信号出力手段が確認信号を出力した後、前記音声受信手段が音声を受信しなかった場合に、前記インクカートリッジが誤装着又は未装着である旨を報知する報知手段をさらに備えていてもよい。この構成によると、インクカートリッジが誤装着又は未装着である旨を使用者に知らせることができる。
【００２３】
本発明の記録装置では、前記音声出力手段が、可聴域外の周波数の音声を発することが好ましい。この構成によると、発せられる音声を使用者に聞こえないようにすることができる。
【発明の効果】
【００２４】
上述のように、本発明の記録装置は、インクカートリッジに備えられる音声出力手段と、本体部に備えられる音声受信手段との配置位置は制限されない。すなわち、音声出力手段と音声受信手段とは自由に配置できる。したがって、設計の自由度が上がる。
【図面の簡単な説明】
【００２５】
【図１】本発明の第１の実施形態にかかるインクジェットプリンタの全体的な構成を示す概略側面図である。
【図２】図１に示すインクジェットプリンタの電気的構成を示すブロック図である。
【図３】図１に示すインクカートリッジのカートリッジ情報に特有の音声信号を示す表であり、（ａ）は貯留するインクの色情報に特有の音声信号、（ｂ）は貯留するインクの容量に特有の音声信号、（ｃ）は仕向け地域に特有の音声信号を示す。
【図４】図２に示す判断情報記憶部に記憶される装着部とその装着部に装着すべきインクカートリッジが発するインクの色の情報に特有の音声の情報とを示す表である。
【図５】図２に示すカートリッジ制御部で行われる処理の手順を示すフローチャートである。
【図６】図２に示す制御装置で行われる誤装着・未装着検出処理の手順を示すフローチャートである。
【図７】図２に示す制御装置で行われるエラー検出処理の手順を示すフローチャートである。
【図８】第１の実施形態の第１変形例にかかる判断情報記憶部に記憶されるインクの容量及び仕向け地域の組合せパターンに特有の音声に関する情報を示す表である。
【図９】第１の実施形態の第１変形例で行われるエラー検出処理の手順を示すフローチャートである。
【図１０】第１の実施形態の第２変形例にかかる判断情報記憶部に記憶される各装着部に関連付けられた複数の音声パターンとその装着部に装着すべきインクカートリッジが発するインクの色の情報に特有の音声の情報とを示す表である。
【図１１】第１の実施形態の第２変形例で行われる誤装着・未装着検出処理の手順を示すフローチャートである。
【図１２】本発明の第２の実施形態にかかるインクジェットプリンタの電気的構成を示すブロック図である。
【図１３】図１２に示すカートリッジ制御部で行われる処理の手順を示すフローチャートである。
【図１４】図１２に示す制御装置で行われる誤装着・未装着検出処理の手順を示すフローチャートである。
【発明を実施するための形態】
【００２６】
以下、本発明の好適な実施形態について、図面を参照しつつ説明する。
【００２７】
＜第１の実施形態＞
図１に示すように、インクジェットプリンタ１は、インクを貯留するインクカートリッジ１０と、インクカートリッジ１０から供給されたインクにより用紙Ｐに画像を形成する本体部２０とを備えている。
【００２８】
本体部２０は、用紙Ｐに向けてインクを吐出する複数のノズル（図示せず）が配置されたインク吐出面２ａを有するインクジェットヘッド２と、インクジェットヘッド２を一方向に往復移動させるキャリッジ３と、用紙Ｐをインクジェットヘッド２のインク吐出面２ａと対向させつつ搬送する搬送機構４と、インクカートリッジ１０が着脱可能に装着される装着部５と、インクジェットヘッド２と装着部５に装着されたインクカートリッジ１０とを連通させるチューブ６と、インクジェットプリンタ１に関する情報を表示するディスプレイ７（図２参照）とを備えている。なお、装着部５に装着されたインクカートリッジ１０は、図示しないコネクタ及び信号線等によって、本体部２０と電気的に接続される。さらに、本体部２０は、インクジェットプリンタ１全体の動作を制御する制御装置６０を備えている。
【００２９】
なお、図１においては、１つのインクジェットヘッド２のみを描いているが、インクジェットプリンタ１には、４色のインク（ブラック、イエロー、マゼンタ、シアン）に対応する４つのインクジェットヘッド２が設けられている。さらに、本体部２０には、各インクジェットヘッド２にインクを供給するインクカートリッジ１０がそれぞれ装着される４つの装着部５ａ、５ｂ、５ｃ、５ｄが設けられている。本実施形態においては、装着部５ａにはブラックのインクを貯留するインクカートリッジ１０、装着部５ｂにはイエローのインクを貯留するインクカートリッジ１０、装着部５ｃにはマゼンタのインクを貯留するインクカートリッジ１０、装着部５ｄにはシアンのインクを貯留するインクカートリッジ１０が装着される。以降、装着部５ａ〜５ｄを区別なく説明する場合には、「装着部５」と称する。
【００３０】
装着部５には、図１中右方に向かって開口した凹部５１が形成されている。この凹部５１内の空間にインクカートリッジ１０が収容される。また、凹部５１の開口部と対向する側壁には、貫通孔５１ａが形成されている。貫通孔５１ａには、チューブ６の先端に設けられた中空針（図示せず）が凹部５１内の空間に配置されるように、チューブ６が挿通されている。凹部５１の開口部分は、上端部近傍を支点として回動可能なカバー５２によって覆われている。
【００３１】
また、装着部５には、装着部５ａ〜５ｄで共有する１つのマイク８が設けられている。マイク８は、図１に示すように、凹部５１の開口部と対向する側壁の壁面に配置されており、後述するように４つのインクカートリッジ１０にそれぞれ設けられたスピーカ１３から発せられた音声を受信する。
【００３２】
用紙Ｐに対する印刷が行われる際には、インクジェットプリンタ１の４つのインクジェットヘッド２がキャリッジ３により図１の紙面垂直方向に往復移動され、用紙Ｐが搬送機構４により図１の紙面左右方向に搬送される。各インクジェットヘッド２は用紙Ｐに対して所定間隔を隔てて対向配置されている。インクジェットヘッド２の往復移動と用紙Ｐの搬送移動とは、制御装置６０により同期して行われ、インクジェットヘッド２が用紙Ｐを横切るごとにノズルからインクが吐出されて印刷が行われる。インクは、装着部５に装着されたインクカートリッジ１０からチューブ６を介してインクジェットヘッド２に供給される。
【００３３】
インクカートリッジ１０は、略六面体として構成されている。より詳細には、最大面積となる対向する一対の略矩形面と、この一対の略矩形面を連結する４つの側面との略６つの面で構成されている。そして、最大面積となる一対の略矩形面が垂直となると共にその長辺が水平となるような姿勢で装着部５に装着される。
【００３４】
インクカートリッジ１０は、その六面体の最大面積となる一対の矩形面の短辺同士を連結する一対の側面の対向方向（図１中左右方向）が、装着部５への装着方向と略一致している。より詳細には、インクカートリッジ１０は、図１中右方から左方に向かって装着される。
【００３５】
インクカートリッジ１０の装着部５への装着方向下流側（図１中左側）の面である前面１１には、チューブ６の先端に設けられており凹部５１内の空間に配置された中空針（図示せず）が接続される供給部１２が設けられている。供給部１２は、インクカートリッジ１０が装着部５に装着されていない状態では、インクカートリッジ１０の内部と外部とを連通するインク流路を閉鎖し、装着部５に装着されて中空針が接続されるとインク流路を開放する。したがって、供給部１２は、インクカートリッジ１０がインクジェットプリンタ１に装着されている際に、インクカートリッジ１０の内部に貯留されたインクをインクジェットプリンタ１に供給することができる。
【００３６】
また、インクカートリッジ１０の前面１１には、スピーカ１３が設けられている。スピーカ１３は、後述するカートリッジ制御部１５の音声信号生成部１８（図２参照）から出力された音声信号を受信し、音声に変換して出力する。なお、本実施形態においては、音声信号生成部１８は２０ｋＨｚ以上、すなわち可聴域外の周波数の音声信号を出力する。したがって、スピーカ１３からは、可聴域外の周波数の音声が発せられる。
【００３７】
ここで、図２を参照しつつ、カートリッジ制御部１５について説明する。カートリッジ制御部１５は、例えばその内部にＣＰＵ（Central Processing Unit）、ＲＯＭ（Read Only Memory）、ＲＡＭ（Random Access Memory）等を含むワンチップマイコン等で構成されている。そして、カートリッジ制御部１５は、機能部として、カートリッジ情報記憶部１６及び音声信号生成部１８を有している。
【００３８】
カートリッジ情報記憶部１６は、インクカートリッジ１０に関する情報を記憶する。カートリッジ１０に関する情報とは、例えば、そのインクカートリッジ１０が貯留しているインクの色や容量、また仕向け地域等である。なお、仕向け地域は、例えば、気候が異なる地域毎や、好まれる色味が異なる地域毎に分けられる。
【００３９】
音声信号生成部１８は、後述する要求信号を受信した際に、カートリッジ情報記憶部１６に記憶されている情報を、当該情報に特有の音声信号に変換してスピーカ１３に出力する。本実施形態における、インクカートリッジ１０に関する情報に特有の音声信号は、図３の表に示す通りである。すなわち、図３（ａ）に示すように、貯留しているインクの色が、ブラックである場合には２０ｋＨｚ、イエローである場合には３０ｋＨｚ、マゼンタである場合には４０ｋＨｚ、シアンである場合には５０ｋＨｚの周波数の音声信号に変換する。また、図３（ｂ）に示すように、貯留しているインクの容量が、大である場合には６０ｋＨｚ、中である場合には６５ｋＨｚ、小である場合には７０ｋＨｚの周波数の音声信号に変換する。さらに、図３（ｃ）に示すように、仕向け地域が、地域Ａである場合には８０ｋＨｚ、地域Ｂである場合には８５ｋＨｚ、地域Ｃである場合には９０ｋＨｚの周波数の音声信号に変換する。
【００４０】
なお、インクカートリッジ１０には、スピーカ１３及びカートリッジ制御部１５に電源を供給する電源１９が設けられている。電源１９は、例えば本体部２０を介して供給された商用電源からの電力を充電する充電池であってもよいし、太陽電池や乾電池であってもよい。
【００４１】
次に、制御装置６０について説明する。制御装置６０は、演算処理装置であるＣＰＵ（Central Processing Unit）、ＣＰＵが実行するプログラム及びプログラムに使用されるデータが記憶されているＲＯＭ（Read Only Memory）、プログラム実行時にデータを一時記憶するためのＲＡＭ（Random Access Memory）等を備えており、これらを一体とし各機能部として機能させることによりインクジェットプリンタ１の制御を行うものである。そして制御装置６０は、機能部として駆動部６１、発音要求部６２、判断情報記憶部６３、判断部６４、情報取得部６５、取得情報記憶部６６、及び表示制御部６７を備えている。
【００４２】
駆動部６１は、インクジェットヘッド２、キャリッジ３、及び搬送機構４を駆動するための図示しないモータ等の駆動を制御するためのものである。発音要求部６２は、装着部５に装着されたインクカートリッジ１０に対して、そのカートリッジ情報記憶部１６に記憶されているインクの色、容量、及び仕向け地域のいずれかの情報を要求する要求信号を電気信号として出力する。より具体的には、カートリッジ情報記憶部１６に記憶されているインクの色、容量、及び仕向け地域のいずれかの情報に特有の音声をスピーカ１３から発するように要求する要求信号を出力する。なお、本実施形態においては、発音要求部６２は、４つの装着部５ａ〜５ｄにそれぞれ装着された４つのインクカートリッジ１０に対して、要求信号を順番に出力する。かかる要求信号は、上述の図示しないコネクタ及び信号線を介してインクカートリッジ１０に伝達される。
【００４３】
判断情報記憶部６３は、各装着部５ａ〜５ｄに装着すべきインクカートリッジ１０のスピーカ１３が発する、当該インクカートリッジ１０に貯留されているインクの色の情報に特有の音声に関する情報を、装着部５ａ〜５ｄに対応付けて記憶する。したがって、図４に示すように、ブラックのインクカートリッジ１０が装着されるべき装着部５ａには２０ｋＨｚ、イエローのインクカートリッジ１０が装着されるべき装着部５ｂには３０ｋＨｚ、マゼンタのインクカートリッジ１０が装着されるべき装着部５ｃには４０ｋＨｚ、シアンのインクカートリッジ１０が装着されるべき装着部５ｄには５０ｋＨｚの周波数がそれぞれ対応付けて記憶されている。また、判断情報記憶部６３には、インクカートリッジ１０のスピーカ１３が発する、インクの容量及び仕向け地域の情報に特有の音声に関する情報、すなわち、図３（ｂ）、（ｃ）に示すような表が記憶されている。
【００４４】
判断部６４は、発音要求部６２が装着部５ａ〜５ｄのいずれかに装着されたインクカートリッジ１０に対してインクの色の情報を要求する要求信号を出力した際に、マイク８が受信した音声が、図４に示すように、判断情報記憶部６３に記憶されている当該装着部５ａ〜５ｄに対応するインクの色の情報にかかる音声と一致するか否かを判断する。すなわち、判断部６４は、マイク８が受信した音声が、該装着部５ａ〜５ｄに装着すべきインクカートリッジ１０のスピーカ１３が発した音声か否か、換言すると、該装着部５ａ〜５ｄに装着すべきインクカートリッジ１０が装着されたか否かを判断する。例えば、装着部５ａに装着されたインクカートリッジ１０に要求信号を出力した際に、マイク８が受信した音声の周波数が２０ｋＨｚである場合には、図４に示すように装着部５ａに対応する音声の周波数と一致する、すなわち、装着部５ａに装着すべきインクカートリッジ１０が装着されていると判断する。また、このときマイク８が受信した音声の周波数が、図４に示す装着部５ａ以外の装着部５ｂ〜５ｄに対応する音声の周波数と一致する場合には、装着部５ａに装着すべきインクカートリッジ１０が装着されていないと判断する。さらに、マイク８が音声を受信していない場合には、インクカートリッジ１０が未装着であると判断する。
【００４５】
また、判断部６４は、マイク８が受信したインクの容量及び仕向け地域の情報に特有の音声が、図３（ｂ）、（ｃ）に示すように、判断情報記憶部６３に記憶されているいずれかの情報に対応する音声と一致するか否かを判断する。すなわち、インクの容量の情報に特有の音声としてマイク８が受信した音声の周波数が、６０ｋＨｚ、６５ｋＨｚ、又は７０ｋＨｚである場合には、判断情報記憶部６３に記憶されている情報にかかる音声と一致すると判断し、それ以外の周波数である場合には一致していないと判断する。さらに、仕向け地域に特有の音声としてマイク８が受信した音声の周波数が、８０ｋＨｚ、８５ｋＨｚ、又は９０ｋＨｚである場合には、判断情報記憶部６３に記憶されている情報にかかる音声と一致すると判断し、それ以外の周波数である場合には一致していないと判断する。
【００４６】
情報取得部６５は、マイク８が受信した音声をインクカートリッジ１０に関する情報に変換する。すなわち、例えば、マイク８が６０ｋＨｚの周波数の音声を受信した場合には、図３に示すように、貯留されているインクの容量が大容量であるという情報に変換する。さらに、マイク８が８０ｋＨｚの周波数の音声を受信した場合には、仕向けが地域Ａであるという情報に変換する。
【００４７】
取得情報記憶部６６は、情報取得部６５における変換によって生成されたインクカートリッジ１０に関する情報を記憶する。具体的には、例えば、発音要求部６２が装着部５ａに装着されたインクカートリッジ１０に対してインクの容量の情報を要求する要求信号を出力した際に、マイク８が受信した音声を情報取得部６５で変換することによって生成された情報を、装着部５ａに装着されたインクカートリッジ１０の容量の情報として記憶する。なお、取得情報記憶部６６に記憶された情報は、駆動部６１における制御等に用いることができる。
【００４８】
表示制御部６７は、ディスプレイ７の表示を制御する。具体的には、表示制御部６７は、マイク８が音声を受信しない場合に、ディスプレイ７にインクカートリッジ１０が未装着である旨を表示する。また、判断部６４において、判断情報記憶部６３に記憶されている装着部５ａ〜５ｄに対応するインクの色の情報にかかる音声と一致しない、すなわち、装着部５ａ〜５ｄに装着すべきインクカートリッジ１０が装着されていないと判断された場合に、ディスプレイ７にインクカートリッジ１０が誤装着又は未装着である旨を表示する。加えて、判断部６４において、判断情報記憶部６３に記憶されているインクの容量及び仕向け地域の情報にかかる音声と一致しない場合に、ディスプレイ７にエラーメッセージを表示する。
【００４９】
次に、図５を参照しつつ、カートリッジ１０のカートリッジ制御部１５で行われる処理について説明する。まず、制御装置６０の発音要求部６２から出力されたインクの色、容量、及び仕向け地域のいずれかの情報を要求する要求信号を受信したか否かの判断が、要求信号を受信したと判断されるまで繰り返し行われる（Ｓ１１）。そして、インクの色、容量、及び仕向け地域のいずれかの情報を要求する要求信号を受信したと判断された場合には（Ｓ１１：ＹＥＳ）、音声信号生成部１８が、受信した要求信号が要求する情報を、当該情報に特有の音声信号に変換してスピーカ１３に出力する。これにより、スピーカ１３から音声が発せられる（Ｓ１２）。すなわち、例えば、ブラックのインクが貯留されたインクカートリッジ１０が、インクの色の情報を要求する要求信号を受信した場合には、図３に示すように、そのインクカートリッジ１０に設けられたスピーカ１３は、２０ｋＨｚの周波数の音声を発する。
【００５０】
続いて、図６を参照しつつ、制御装置６０で行われる誤装着・未装着検出処理について説明する。まず、発音要求部６２が、装着部５ａ〜５ｄのいずれかに装着されたインクカートリッジ１０に対して、貯留しているインクの色の情報に特有の音声をスピーカ１３から発するように要求する要求信号を出力する（Ｓ２１）。なお、本実施形態においては、最初に装着部５ａに装着されたインクカートリッジ１０に対して要求信号を出力することとする。このとき、装着部５ａに装着されたインクカートリッジ１０のカートリッジ制御部１５で上述のような制御が行われ、そのインクカートリッジ１０のスピーカ１３から音声が発せられる。
【００５１】
次に、マイク８が音声を受信したか否かが判断される（Ｓ２２）。マイク８が音声を受信していない場合には（Ｓ２２：ＮＯ）、表示制御部６７の制御により、ディスプレイ７にインクカートリッジ１０が未装着である旨を表示し、インクカートリッジ１０が装着されるまで待機する（Ｓ２３）。装着が行われると、上述のステップＳ２１に戻る。また、マイク８が音声を受信した場合には（Ｓ２２：ＹＥＳ）、判断部６４が、マイク８が受信したインクの色の情報に特有の音声の周波数が、図４に示すように判断情報記憶部６３に記憶されている装着部５ａに装着すべきインクカートリッジ１０の色の情報にかかる音声の周波数、すなわち２０ｋＨｚ、と一致するか否かを判断する（Ｓ２４）。
【００５２】
マイク８が受信した音声が判断情報記憶部６３に記憶されている装着部５ａに対応する音声と一致する場合には（Ｓ２４：ＹＥＳ）、すなわち、受信した音声の周波数が２０ｋＨｚである場合には、後述するステップＳ２７に進む。一方、装着部５ａに対応する音声と一致しない場合には（Ｓ２４：ＮＯ）、他の装着部５ｂ〜５ｄに対応する音声と一致するか否かを判断する（Ｓ２５）。ここで、他の装着部５ｂ〜５ｄに対応する音声と一致する場合には（Ｓ２５：ＹＥＳ）、すなわち、受信した音声の周波数が３０ｋＨｚ、４０ｋＨｚ、又は５０ｋＨｚである場合には、表示制御部６７の制御により、ディスプレイ７にインクカートリッジ１０が誤装着である旨を表示し、インクカートリッジ１０が交換装着されるまで待機する（Ｓ２６）。交換装着が行われると、上述のステップＳ２１に戻る。また、他の装着部５ｂ〜５ｄに対応する音声と一致しない場合には（Ｓ２５：ＮＯ）、上述のステップＳ２３と同様に未装着である旨を表示すると共に待機し、その後装着が行われると、上述のステップＳ２１に戻る。
【００５３】
その後、発音要求部６２が、４つの装着部５ａ〜５ｄに装着された全てのインクカートリッジ１０に対して、貯留しているインクの色の情報を要求する要求信号を出力したか否かが判断される（Ｓ２７）。まだ全てのインクカートリッジ１０に対して要求信号を出力していない判断された場合には（Ｓ２７：ＮＯ）、上述のステップＳ２１に戻り、未だ要求信号を出力していないカートリッジ１０、すなわち装着部５ｂ〜５ｄのいずれかに装着されたインクカートリッジ１０に対して要求信号を出力する。一方、全てのインクカートリッジ１０に対して要求信号を出力したと判断された場合には（Ｓ２７：ＹＥＳ）、誤装着・未装着検出処理を終了する。
【００５４】
さらに、図７を参照しつつ、制御装置６０で行われるエラー検出処理について説明する。なお、かかるエラー検出処理は、上述の誤装着・未装着検出処理が行われた後に行われる。誤装着・未装着検出処理において全ての装着部５ａ〜５ｄに装着すべきインクカートリッジ１０が装着されて誤装着・未装着検出処理が終了すると、発音要求部６２が、装着部５ａ〜５ｄのいずれかに装着されたインクカートリッジ１０に対して、貯留しているインクの容量の情報に特有の音声をスピーカ１３から発するように要求する要求信号を出力する（Ｓ３１）。本実施形態においては、最初に装着部５ａに装着されたインクカートリッジ１０に対して要求信号を出力することとする。
【００５５】
続いて、マイク８が音声を受信したか否かの判断が、マイク８が音声を受信するまで繰り返し行われる（Ｓ３２）。マイク８が音声を受信した場合には（Ｓ３２：ＹＥＳ）、判断部６４が、マイク８が受信したインクの容量に特有の音声の周波数が、図３（ｂ）に示すように判断情報記憶部６３に記憶されているインクの容量の情報にかかる音声の周波数、すなわち６０ｋＨｚ、６５ｋＨｚ、又は７０ｋＨｚと一致するか否かを判断する（Ｓ３３）。
【００５６】
マイク８が受信したインクの容量の情報に特有の音声が、判断情報記憶部６３に記憶されている情報と一致しない場合には（Ｓ３３：ＮＯ）、表示制御部６７の制御によりディスプレイ７にエラーメッセージを表示し、インクカートリッジ１０が交換装着されるまで待機する（Ｓ３４）。一方、判断情報記憶部６３に記憶されている情報と一致した場合には（Ｓ３３：ＹＥＳ）、情報取得部６５によってマイク８が受信した音声が、インクカートリッジ１０のインクの容量に関する情報に変換される。このインクの容量に関する情報は、装着部５ａに装着されたインクカートリッジ１０のインクの容量として、取得情報記憶部６６に記憶される（Ｓ３５）。
【００５７】
次に、発音要求部６２が、装着部５ａに装着されたインクカートリッジ１０に対して、仕向け地域の情報に特有の音声をスピーカ１３から発するように要求する要求信号を出力する（Ｓ３６）。続いて、マイク８が音声を受信したか否かの判断が、マイク８が音声を受信するまで繰り返し行われる（Ｓ３７）。マイク８が音声を受信した場合には（Ｓ３７：ＹＥＳ）、判断部６４が、マイク８が受信した仕向け地域に特有の音声の周波数が、図３（ｃ）に示すように判断情報記憶部６３に記憶されている仕向け地域の情報にかかる音声の周波数、すなわち８０ｋＨｚ、８５ｋＨｚ、又は９０ｋＨｚと一致するか否かを判断する（Ｓ３８）。
【００５８】
マイク８が受信した仕向け地域の情報に特有の音声が、判断情報記憶部６３に記憶されている情報と一致しない場合には（Ｓ３８：ＮＯ）、表示制御部６７の制御によりディスプレイ７にエラーメッセージを表示し、インクカートリッジ１０が交換装着されるまで待機する（Ｓ３９）。一方、判断情報記憶部６３に記憶されている情報と一致した場合には（Ｓ３８：ＹＥＳ）、情報取得部６５によってマイク８が受信した音声が、インクカートリッジ１０の仕向け地域に関する情報に変換される。この仕向け地域に関する情報は、装着部５ａに装着されたインクカートリッジ１０の仕向け地域として、取得情報記憶部６６に記憶される（Ｓ４０）。
【００５９】
その後、発音要求部６２が、４つの装着部５ａ〜５ｄに装着された全てのインクカートリッジ１０に対して、インクの容量及び仕向け地域の情報を要求する要求信号を出力したか否かが判断される（Ｓ４１）。まだ全てのインクカートリッジ１０に対して要求信号を出力していない判断された場合には（Ｓ４１：ＮＯ）、上述のステップＳ３１に戻り、未だ要求信号を出力していないカートリッジ１０、すなわち装着部５ｂ〜５ｄのいずれかに装着されたインクカートリッジ１０に対して要求信号を出力する。一方、全てのインクカートリッジ１０に対して要求信号を出力したと判断された場合には（Ｓ４１：ＹＥＳ）、エラー検出処理を終了する。
【００６０】
以上のように、本実施形態のインクジェットプリンタ１で用いられるインクカートリッジ１０は、スピーカ１３と、インクカートリッジ１０に貯留されているインクの色、容量、及び仕向け地域の情報を記憶するカートリッジ情報記憶部１６とを備えている。また、インクジェットプリンタ１の本体部２０は、装着部５に装着されたインクカートリッジ１０に対して、カートリッジ情報記憶部１６に記憶されているインクの色、容量、及び仕向け地域のいずれかの情報に特有の音声を発するように要求する要求信号を出力する発音要求部６２と、インクカートリッジ１０のスピーカ１３から発せられた音声を受信するマイク８とを備えている。さらに、インクジェットプリンタ１は、発音要求部６２が要求信号を出力すると、カートリッジ情報記憶部１６に記憶されているインクの色、容量、及び仕向け地域のいずれかの情報を、当該情報に特有の音声信号に変換してスピーカ１３に出力する音声信号生成部１８を備えている。したがって、スピーカ１３から出力された音声をマイク８で受信することで、インクカートリッジ１０の情報を本体部２０に伝達できる。また、インクカートリッジ１０に備えられるスピーカ１３と、本体部２０に備えられるマイク８との配置位置は制限されない。すなわち、スピーカ１３とマイク８とは自由に配置できる。よって、設計の自由度が上がる。
【００６１】
また、本実施形態のインクジェットプリンタ１では、本体部２０が、各装着部５ａ〜５ｄに装着すべきインクカートリッジ１０のスピーカ１３が発する、当該インクカートリッジ１０に貯留されているインクの色の情報に特有の音声に関する情報を、装着部５ａ〜５ｄに対応付けて記憶する判断情報記憶部６３と、装着部５ａ〜５ｄのいずれかに装着されたインクカートリッジ１０に対してインクの色の情報を要求する要求信号を出力した際に、マイク８が受信した音声が、判断情報記憶部６３に記憶されている当該装着部５ａ〜５ｄに対応するインクの色の情報にかかる音声と一致するか否かを判断する判断部６４とを備えている。したがって、各装着部５ａ〜５ｄに装着すべきインクカートリッジ１０が装着されているか否かを判断できる。
【００６２】
さらに、本実施形態のインクジェットプリンタ１は、ディスプレイ７と、判断部６４が、マイク８が受信した音声と判断情報記憶部６３に記憶されている情報にかかる音声とが一致しないと判断した場合に、インクカートリッジ１０が誤装着又は未装着である旨が表示されるようにディスプレイ７の表示を制御する表示制御部６７とを備えている。したがって、インクカートリッジ１０が誤装着又は未装着である旨を使用者に知らせることができる。
【００６３】
加えて、本実施形態のインクジェットプリンタ１では、本体部２０が、４つのインクカートリッジ１０がそれぞれ装着される４つの装着部５ａ〜５ｄを有しており、発音要求部６２は、各装着部５ａ〜５ｄに装着されたインクカートリッジ１０に対して要求信号を順番に出力する。したがって、マイク８は、各装着部５ａ〜５ｄに装着された４つインクカートリッジ１０から発せられる音声を順番に受信する。よって、どの装着部５ａ〜５ｄに装着されたインクカートリッジ１０から発せられた音声なのかを識別できる。
【００６４】
また、本実施形態のインクジェットプリンタ１は、マイク８が受信した音声をインクカートリッジ１０に関する情報に変換する情報取得部６５と、情報取得部６５における変換によって生成されたインクカートリッジ１０に関する情報を記憶する取得情報記憶部６６とを備えている。したがって、インクカートリッジ１０の情報を音声により取得し、記憶することができる。
【００６５】
また、本実施形態のインクジェットプリンタ１では、インクカートリッジ１０に備えられたスピーカ１３からは、可聴域外の周波数の音声が発せられる。したがって、スピーカ１３から発せられる音声を使用者に聞こえないようにすることができる。
【００６６】
（第１の実施形態の第１変形例）
次に、図８、９を参照しつつ、上述の第１の実施形態の第１変形例について説明する。なお、ここでは、第１の実施形態と同一の符号を用いて説明する。本変形例では、制御装置６０で行われるエラー検出処理において、発音要求部６２が装着部５ａ〜５ｄにそれぞれ装着された４つのインクカートリッジ１０に対して要求信号を同時に出力する点が、第１の実施形態と主に異なる。
【００６７】
本変形例においては、インクカートリッジ１０に備えられたカートリッジ制御部１５で、カートリッジ情報記憶部１６に記憶されているインクの色に関する情報を音声信号生成部１８が変換することで得られる、当該情報に特有の音声信号は、第１の実施形態と同様に、図３（ａ）に示す通りである。また、本変形例においては、音声信号生成部１８は、カートリッジ情報記憶部１６に記憶されているインクの容量及び仕向け地域の２つの情報を、これら２つの情報の組合せパターンに一対一に対応する音声信号に変換する。なお、これら２つの情報の組合せパターンに割り振られる音声信号は、貯留されているインクの色毎に異なる。すなわち、例えば、ブラックのインクを貯留するインクカートリッジ１０のカートリッジ情報記憶部１６に、容量が大容量、仕向け地域が地域Ａと記憶されている場合には、図８の表に示すように、２０ｋＨｚの周波数の音声信号に変換する。また、イエローのインクを貯留するインクカートリッジ１０のカートリッジ情報記憶部１６に、容量が中容量、仕向け地域が地域Ａと記憶されている場合には、４４ｋＨｚの周波数の音声信号に変換する。
【００６８】
また、本変形例の判断情報記憶部６３には、第１の実施形態において、インクカートリッジ１０のスピーカ１３が発する、インクの容量及び仕向け地域の情報に特有の音声に関する情報が記憶されているのに換えて、インクの容量及び仕向け地域の組合せパターンに特有の音声に関する情報、すなわち、図８に示すような表が記憶されている。
【００６９】
判断部６４は、第１の実施形態と同様に、装着部５ａ〜５ｄのいずれかに装着されたインクカートリッジ１０に対してインクの色の情報を要求する要求信号が出力された際に、マイク８が受信した音声が、判断情報記憶部６３に記憶されている当該装着部５ａ〜５ｄに対応するインクの色の情報にかかる音声と一致するか否かを判断する。また、本変形例の判断部６４は、マイク８が受信したインクの容量及び仕向け地域の組合せパターンに特有の音声が、図８に示すように、判断情報記憶部６３に記憶されているいずれかの情報に対応する音声と一致するか否かを判断する。
【００７０】
ここで、図９を参照しつつ、本変形例のエラー検出処理について説明する。なお、かかるエラー検出処理は、第１の実施形態で説明した誤装着・未装着検出処理が行われた後に行われる。誤装着・未装着検出処理において全ての装着部５ａ〜５ｄに装着すべきインクカートリッジ１０が装着されて誤装着・未装着検出処理が終了すると、発音要求部６２が、装着部５ａ〜５ｄにそれぞれ装着された４つのインクカートリッジ１０に対して、インクの容量及び仕向け地域の組合せパターンに特有の音声をスピーカ１３から発するように要求する要求信号を同時に出力する（Ｓ４１）。このとき、４つのインクカートリッジ１０のスピーカ１３からほぼ同時に音声が発せられる。
【００７１】
続いて、マイク８が音声を受信したか否かの判断が、マイク８が音声を受信するまで繰り返し行われる（Ｓ４２）。マイク８が音声を受信した場合には（Ｓ４２：ＹＥＳ）、判断部６４が、マイク８が受信したインクの容量及び仕向け地域の組合せパターンに特有の音声の周波数が、図８に示すように判断情報記憶部６３に記憶されている音声の周波数と一致するか否かを判断する（Ｓ４３）。
【００７２】
なお、このとき、マイク８は、４つのインクカートリッジ１０のスピーカ１３から発せられた互いに周波数が異なる音声を同時に受信するので、判断部６４は、マイク８が受信した音声を４つの周波数成分に分解する。そして、判断部６４は、これら４つの成分の周波数が、図８に示すように、装着部５ａに装着されたブラックのインクカートリッジ１０が発する音声の２０ｋＨｚ〜３６ｋＨｚの各周波数、装着部５ｂに装着されたイエローのインクカートリッジ１０が発する音声の３８ｋＨｚ〜５４ｋＨｚの各周波数、装着部５ｃに装着されたマゼンタのインクカートリッジ１０が発する音声の５６ｋＨｚ〜７２ｋＨｚの各周波数、及び装着部５ｄに装着されたシアンのインクカートリッジ１０が発する音声の７４ｋＨｚ〜９０ｋＨｚの各周波数に一致するか否かを判断する。
【００７３】
マイク８が受信したインク容量及び仕向け地域の組合せパターンに特有の音声が、判断情報記憶部６３に記憶されている情報と一致しない場合には（Ｓ４３：ＮＯ）、表示制御部６７の制御によりディスプレイ７にエラーメッセージを表示し、インクカートリッジ１０が交換装着されるまで待機する（Ｓ４４）。一方、判断情報記憶部６３に記憶されている情報と一致した場合には（Ｓ４３：ＹＥＳ）、情報取得部６５によってマイク８が受信した音声が、各インクカートリッジ１０のインクの容量及び仕向け地域に関する情報に変換される。このインクの容量及び仕向け地域に関する情報は、各装着部５ａ〜５ｄにそれぞれ装着された４つのインクカートリッジ１０のインクの容量及び仕向け地域として、取得情報記憶部６６に記憶される（Ｓ４５）。
【００７４】
以上のように、本変形例では、音声信号生成部１８は、インクカートリッジ１０のカートリッジ情報記憶部１６に記憶されているインクの容量及び仕向け地域の組合せに基づいて、インクカートリッジ１０のスピーカ１３に対して、スピーカ１３から出力される音声の周波数が、他のインクカートリッジ１０のスピーカ１３から出力されるものとは異なるものとなるような音声信号を出力する。そして、発音要求部６２は、各装着部５ａ〜５ｄにそれぞれ装着された４つのインクカートリッジ１０に対して、インクの容量及び仕向け地域の組合せパターンに特有の音声を発するように要求する要求信号を同時に出力する。したがって、音声の出力及びその受信の処理を短時間で済ませることができる。また、周波数の違いにより、各インクカートリッジ１０から発せられる音声を区別して受信できる。
【００７５】
また、本変形例では、誤装着・未装着検出処理において、発音要求部６２が、各装着部５ａ〜５ｄに装着されたインクカートリッジ１０に対して、インクの色に特有の音声を発することを要求するする要求信号を順番に出力し、その後、エラー検出処理において、発音要求部６２が、装着部５ａ〜５ｄにそれぞれ装着された４つのインクカートリッジ１０に対して、インクの容量及び仕向け地域の組合せパターンに特有の音声を発するように要求する要求信号を同時に出力する。したがって、各インクカートリッジ１０から順番に音声を発することで、どの装着部５ａ〜５ｄに装着されたインクカートリッジ１０から発せられた音声なのかを識別できる。その後同時に音声を発することで、音声の出力及びその受信の処理を短時間で済ませることができる。
【００７６】
（第１の実施形態の第２変形例）
次に、図１０、１１を参照しつつ、上述の第１の実施形態の第２変形例について説明する。なお、ここでは、第１の実施形態と同一の符号を用いて説明する。本変形例では、制御装置６０で行われる誤装着・未装着検出処理において、発音要求部６２が装着部５ａ〜５ｄにそれぞれ装着された４つのインクカートリッジ１０に対して要求信号を同時に出力する点が、第１の実施形態と主に異なる。
【００７７】
本変形例の音声信号生成部１８は、後述するように、発音要求部６２が出力した所定の音声パターンで音声を発するように要求する要求信号を受信した際に、スピーカ１３に対して、カートリッジ情報記憶部１６に記憶されているインクの色の情報に特有の周波数で、且つ要求信号の要求にかかる音声パターンを有する音声信号を出力する。
【００７８】
本変形例の発音要求部６２は、第１の実施形態において、各装着部５ａ〜５ｄに装着されたインクカートリッジ１０に対して、そのカートリッジ情報記憶部１６に記憶されているインクの色の情報に特有の周波数で音声を発するように要求する要求信号を順番に出力するのに換えて、後述する判断情報記憶部６３に記憶された情報に基づいて、装着部５ａ〜５ｄにそれぞれ装着された４つのインクカートリッジ１０に対して、特定の音声パターンで音声を発するように要求する要求信号を同時に出力する。
【００７９】
本変形例の判断情報記憶部６３は、第１の実施形態において、各装着部５ａ〜５ｄに装着すべきインクカートリッジ１０のスピーカ１３が発する、当該インクカートリッジ１０に貯留されているインクの色の情報に特有の音声に関する情報を、装着部５ａ〜５ｄに対応付けて記憶するのに換えて、図１０に示すように、各装着部５ａ〜５ｄに関連付けられた４つの音声パターンＡ〜Ｄと、各装着部５ａ〜５ｄに装着すべきインクカートリッジ１０のスピーカ１３が発する、当該インクカートリッジ１０に貯留されているインクの色の情報に特有の周波数との一対一の組合せにかかる情報を記憶する。
【００８０】
本変形例の判断部６４は、第１の実施形態において、インクの色の情報を要求する要求信号が出力された際に、マイク８が受信した音声が、判断情報記憶部６３に記憶されている当該装着部５ａ〜５ｄに対応するインクの色の情報にかかる音声と一致するか否かを判断するのに換えて、特定の音声パターンで音声を発するように要求する要求信号が出力された際に、マイク８が受信した音声の音声パターンと周波数との組合せが、判断情報記憶部６３に記憶されている各装着部５ａ〜５ｄに関連付けられた４つの音声パターンＡ〜Ｄとインクの色の情報に特有の周波数との組合せに一致するか否かを判断する。
【００８１】
ここで、図１１を参照しつつ、本変形例における誤装着・未装着検出処理について説明する。まず、発音要求部６２が、装着部５ａ〜５ｄにそれぞれ装着された４つのインクカートリッジ１０に対して、複数の音声パターンＡ〜Ｄのうち各装着部５ａ〜５ｄに関連付けられた音声パターンで音声を発するように要求する要求信号を同時に出力する（Ｓ５１）。このとき、４つのインクカートリッジ１０のスピーカ１３からほぼ同時に音声が発せられる。なお、図１０に示すように、装着部５ａに装着されたインクカートリッジ１０からはパターンＡ、装着部５ｂに装着されたインクカートリッジ１０からはパターンＢ、装着部５ｃに装着されたインクカートリッジ１０からはパターンＣ、装着部５ｄに装着されたインクカートリッジ１０からはパターンＤの音声パターンで音声が発せられる。
【００８２】
次に、マイク８が音声を受信したか否かが判断される（Ｓ５２）。マイク８が音声を受信していない場合には（Ｓ５２：ＮＯ）、表示制御部６７の制御により、ディスプレイ７にインクカートリッジ１０が未装着である旨を表示し、インクカートリッジ１０が装着されるまで待機する（Ｓ５３）。装着が行われると、上述のステップＳ５１に戻る。また、マイク８が音声を受信した場合には（Ｓ５２：ＹＥＳ）、判断部６４が、マイク８が受信した音声の音声パターンと周波数との組合せが、判断情報記憶部６３に記憶されている各装着部５ａ〜５ｄに関連付けられた４つの音声パターンＡ〜Ｄとインクの色の情報に特有の周波数との組合せに一致するか否かを判断する（Ｓ５４）。
【００８３】
なお、このとき、マイク８は、４つのインクカートリッジ１０のスピーカ１３から発せられた互いに周波数が異なる音声を同時に受信するので、判断部６４は、マイク８が受信した音声を４つの周波数成分に分解する。そして、判断部６４は、これら４つの成分の周波数及びその周波数の音声の音声パターンの組合せが、判断情報記憶部６３に記憶されている組合せと一致するか否かを判断する。
【００８４】
具体的には、図１０に示すように、音声パターンＡの音声、すなわち装着部５ａに装着されたインクカートリッジ１０が発した音声の周波数が２０ｋＨｚ、音声パターンＢの音声、すなわち装着部５ｂに装着されたインクカートリッジ１０が発した音声の周波数が３０ｋＨｚ、音声パターンＣの音声、すなわち装着部５ｃに装着されたインクカートリッジ１０が発した音声の周波数が４０ｋＨｚ、音声パターンＤの音声、すなわち装着部５ｄに装着されたインクカートリッジ１０が発した音声の周波数が５０ｋＨｚである場合には、一致していると判断する。そして、例えば、イエローのインクカートリッジ１０が装着されるべき装着部５ｂにマゼンタのインクカートリッジ１０が装着されており、マゼンタのインクカートリッジ１０が装着されるべき装着部５ｃにイエローのインクカートリッジ１０が装着されている場合には、ステップＳ５２においてマイク８が受信する音声は、音声パターンＢの音声の周波数が４０ｋＨｚ、音声パターンＣの音声の周波数が３０ｋＨｚとなる。このような場合には、ステップＳ５４において、一致していないと判断する。
【００８５】
マイク８が受信した音声の周波数及び音声パターンの組合せが、判断情報記憶部６３に記憶されている組合せと一致する場合には（Ｓ５４：ＹＥＳ）、誤装着・未装着検出処理を終了する。一方、判断情報記憶部６３に記憶されている組合せと一致しない場合には（Ｓ５４：ＮＯ）、表示制御部６７の制御により、ディスプレイ７にインクカートリッジ１０が誤装着である旨を表示し、インクカートリッジ１０が交換装着されるまで待機する（Ｓ５５）。交換装着が行われると、上述のステップＳ５１に戻る。
【００８６】
以上のように、本変形例では、判断情報記憶部６３が、各装着部５ａ〜５ｄに関連付けられた４つの音声パターンＡ〜Ｄと、インクカートリッジ１０のスピーカ１３が発するインクの情報に特有の音声の周波数との一対一の組合せにかかる情報を記憶する。また、発音要求部６２は、判断情報記憶部６３に記憶された情報に基づいて、装着部５ａ〜５ｄにそれぞれ装着された４つのインクカートリッジ１０に対して、音声パターンＡ〜Ｄのうち各装着部５ａ〜５ｄに関連付けられた音声パターンで音声を発するように要求する要求信号を同時に出力する。さらに、音声信号生成部１８は、カートリッジ情報記憶部１６に記憶されている情報に基づいて、該インクカートリッジ１０のスピーカ１３に対して、スピーカ１３から出力される音声が他のインクカートリッジ１０のスピーカ１３から出力されるのとは周波数が異なり、且つ要求信号の要求にかかる音声パターンを有することとなるような音声信号を出力する。したがって、受信した音声の周波数及び音声パターンの組合せにより、どの装着部５ａ〜５ｄに装着されたインクカートリッジ１０から発せられた音声なのかを識別できる。
【００８７】
また、本変形例では、カートリッジ情報記憶部１６が、貯留するインクの色を一項目として含む情報を記憶しており、音声信号生成部１８は、カートリッジ情報記憶部１６に記憶されているインクの色の情報に基づいて、他のインクカートリッジ１０のスピーカ１３から出力されるのとは周波数が異なり、且つ要求信号の要求にかかる音声パターンを有することとなるような音声信号を出力する。したがって、各装着部５ａ〜５ｄに装着すべき色のインクカートリッジ１０が装着されているかを確認できる。
【００８８】
＜第２の実施形態＞
次に、図１２〜図１４を参照しつつ、本発明の第２の実施形態にかかるインクジェットプリンタについて説明する。本実施形態のインクジェットプリンタ１０１は、カートリッジ制御部１１５及び制御装置１６０の構成のみが、第１の実施形態の構成と異なる。その他の構成については、第１の実施形態と同様である。以下の説明においては、第１の実施形態と同様の構成に相当するものについては、同じ符号を付して適宜その説明を省略する。
【００８９】
図１２に示すように、カートリッジ制御部１１５は、第１の実施形態と同様にカートリッジ１１０に関する情報を記憶するカートリッジ情報記憶部１１６、判断部１１７、及び音声信号生成部１１８を有している。
【００９０】
判断部１１７は、後述する確認信号出力部１６２から出力された、貯留しているインクの色がブラック、イエロー、マゼンタ、及びシアンのいずれであるかを確認する確認信号を受信した際に、確認信号が確認する色と、カートリッジ情報記憶部１１６に記憶されているインクの色とが一致するか否かを判断する。
【００９１】
音声信号生成部１１８は、判断部１１７において、確認信号が確認する色とカートリッジ情報記憶部１１６に記憶されているインクの色とが一致と判断された場合に、音声信号を生成してスピーカ１３に出力する。すなわち、例えば、ブラックのインクを貯留するインクカートリッジ１１０は、貯留しているインクの色がブラックであるかを確認する確認信号を受信した際に、スピーカ１３から音声を発する。なお、音声信号生成部１１８は、可聴域外の周波数の音声信号を出力する。
【００９２】
また、制御装置１６０は、第１の実施形態と同様に、インクジェットヘッド２、キャリッジ３、及び搬送機構４の駆動を制御する駆動部１６１と、確認信号出力部１６２と、表示制御部１６３とを有している。
【００９３】
確認信号出力部１６２は、各装着部５ａ〜５ｄに装着されたインクカートリッジ１１０に対して、貯留しているインクの色がブラック、イエロー、マゼンタ、及びシアンのいずれであるかを確認する確認信号を電気信号として出力する。なお、確認信号出力部１６２は、装着部５ａ〜５ｄに装着すべきインクカートリッジ１１０に対応する色のインクが貯留されているかを確認する確認信号を最初に出力する。すなわち、装着部５ａに装着されたインクカートリッジ１１０に対しては、ブラックのインクが貯留されているか、装着部５ｂに装着されたインクカートリッジ１１０に対しては、イエローのインクが貯留されているか、装着部５ｃに装着されたインクカートリッジ１１０に対しては、マゼンタのインクが貯留されているか、装着部５ｄに装着されたインクカートリッジ１１０に対しては、シアンのインクが貯留されているか、を確認する確認信号を最初に出力する。かかる確認信号は、本体部２０及びインクカートリッジ１１０を電気的に接続する図示しないコネクタ及び信号線等を介してインクカートリッジ１１０に伝達される。
【００９４】
表示制御部１６３は、確認信号出力部１６２が確認信号を出力した後、マイク８が音声を受信しなかった場合に、ディスプレイ７にインクカートリッジ１１０が誤装着又は未装着である旨を表示する。
【００９５】
ここで、図１３を参照しつつ、カートリッジ制御部１１５で行われる処理について説明する。まず、確認信号出力部１６２から出力された確認信号を受信したか否かの判断が、確認信号を受信したと判断されるまで繰り返し行われる（Ｓ６１）。そして、確認信号を受信したと判断された場合には（Ｓ６１：ＹＥＳ）、判断部１１７によって、確認信号が確認する色とカートリッジ情報記憶部１１６に記憶されているインクの色とが一致するか否かの判断が行われる（Ｓ６２）。ステップＳ６２において一致しないと判断された場合には（Ｓ６２：ＮＯ）、処理を終了する。一方、ステップＳ６２において一致すると判断された場合には（Ｓ６２：ＹＥＳ）、音声信号生成部１１８が、音声信号を生成してスピーカ１３に出力する。これにより、スピーカ１３から音声が発せられる（Ｓ６３）。
【００９６】
次に、図１４を参照しつつ、制御装置１６０で行われる誤装着・未装着検出処理について説明する。まず、確認信号出力部１６２が、装着部５ａに装着されたインクカートリッジ１１０に対して、貯留されているインクの色がブラックであるかを確認する、すなわち装着部５ａに装着されるべきインクカートリッジ１１０が装着されているかを確認する確認信号を出力する（Ｓ７１）。このとき、上述のように、カートリッジ制御部１１５の判断部１１７では、確認信号が確認する色とカートリッジ情報記憶部１１６に記憶されているインクの色とが一致するか、すなわち、当該インクカートリッジ１１０が装着されるべき装着部５ａに装着されているかの判断が行われる。
【００９７】
続いて、マイク８が音声を受信したか否かの判断が行われる（Ｓ７２）。ここで、音声を受信したと判断された場合、すなわち装着部５ａに装着すべきインクカートリッジ１１０が装着されている場合には（Ｓ７２：ＹＥＳ）、後述するステップＳ７７に進む。一方、音声を受信していないと判断された場合には（Ｓ７２：ＮＯ）、確認信号出力部１６２が、装着部５ａに装着されたインクカートリッジ１１０に対して、貯留されているインクの色がイエロー、マゼンタ、及びシアンであるかを確認する確認信号を順番に出力する（Ｓ７３）。そして、マイク８が音声を受信したか否かの判断が行われる（Ｓ７４）。
【００９８】
このとき、音声を受信したと判断された場合、すなわち、装着部５ａに装着すべきでないイエロー、マゼンタ、又はシアンのインクを貯留するインクカートリッジ１１０が装着されている場合には（Ｓ７４：ＹＥＳ）、表示制御部１６３の制御により、ディスプレイ７に誤装着である旨を表示し、インクカートリッジ１１０が交換装着されるまで待機する（Ｓ７５）。交換装着が行われると、上述のステップＳ７１に戻る。また、音声を受信していないと判断された場合には（Ｓ７４：ＮＯ）、表示制御部１６３の制御により、ディスプレイ７にインクカートリッジ１１０が未装着である旨を表示し、インクカートリッジ１１０が装着されるまで待機する（Ｓ７６）。装着が行われた後、上述のステップＳ７１に戻る。
【００９９】
次に、確認信号出力部１６２が、装着部５ｂに装着されたインクカートリッジ１１０に対して、貯留されているインクの色がイエローであるかを確認する、すなわち装着部５ｂに装着されるべきインクカートリッジ１１０が装着されているかを確認する確認信号を出力する（Ｓ７７）。続いて、マイク８が音声を受信したか否かの判断が行われる（Ｓ７８）。ここで、音声を受信したと判断された場合、すなわち装着部５ｂに装着すべきインクカートリッジ１１０が装着されている場合には（Ｓ７８：ＹＥＳ）、後述するステップＳ８３に進む。
【０１００】
一方、音声を受信していないと判断された場合には（Ｓ７８：ＮＯ）、確認信号出力部１６２が、装着部５ｂに装着されたインクカートリッジ１１０に対して、貯留されているインクの色がマゼンタ、及びシアンであるかを確認する確認信号を順番に出力する（Ｓ７９）。そして、マイク８が音声を受信したか否かの判断が行われる（Ｓ８０）。このとき、音声を受信したと判断された場合には（Ｓ８０：ＹＥＳ）、表示制御部１６３の制御により、ディスプレイ７に誤装着である旨を表示し、インクカートリッジ１１０が交換装着されるまで待機する（Ｓ８１）。交換装着が行われた後、上述のステップＳ７７に戻る。また、音声を受信していないと判断された場合には（Ｓ８０：ＮＯ）、表示制御部１６３の制御により、ディスプレイ７にインクカートリッジ１１０が未装着である旨を表示し、インクカートリッジ１１０が装着されるまで待機する（Ｓ８２）。装着が行われた後、上述のステップＳ７７に戻る。
【０１０１】
次に、確認信号出力部１６２が、装着部５ｃに装着されたインクカートリッジ１１０に対して、貯留されているインクの色がマゼンタであるかを確認する、すなわち装着部５ｃに装着されるべきインクカートリッジ１１０が装着されているかを確認する確認信号を出力する（Ｓ８３）。続いて、マイク８が音声を受信したか否かの判断が行われる（Ｓ８４）。ここで、音声を受信したと判断された場合、すなわち装着部５ｃに装着すべきインクカートリッジ１１０が装着されている場合には（Ｓ８４：ＹＥＳ）、後述するステップＳ８９に進む。
【０１０２】
一方、音声を受信していないと判断された場合には（Ｓ８４：ＮＯ）、確認信号出力部１６２が、装着部５ｃに装着されたインクカートリッジ１１０に対して、貯留されているインクの色がシアンであるかを確認する確認信号を出力する（Ｓ８５）。そして、マイク８が音声を受信したか否かの判断が行われる（Ｓ８６）。このとき、音声を受信したと判断された場合には（Ｓ８６：ＹＥＳ）、表示制御部１６３の制御により、ディスプレイ７に誤装着である旨を表示し、インクカートリッジ１１０が交換装着されるまで待機する（Ｓ８７）。交換装着が行われた後、上述のステップＳ８３に戻る。また、音声を受信していないと判断された場合には（Ｓ８６：ＮＯ）、表示制御部１６３の制御により、ディスプレイ７にインクカートリッジ１１０が未装着である旨を表示し、インクカートリッジ１１０が装着されるまで待機する（Ｓ８８）。装着が行われた後、上述のステップＳ８３に戻る。
【０１０３】
次に、確認信号出力部１６２が、装着部５ｄに装着されたインクカートリッジ１１０に対して、貯留されているインクの色がシアンであるかを確認する、すなわち装着部５ｄに装着されるべきインクカートリッジ１１０が装着されているかを確認する確認信号を出力する（Ｓ８９）。続いて、マイク８が音声を受信したか否かの判断が行われる（Ｓ９０）。ここで、音声を受信したと判断された場合、すなわち装着部５ｄに装着すべきインクカートリッジ１１０が装着されている場合には（Ｓ９０：ＹＥＳ）、誤装着・未装着検出処理を終了する。また、音声を受信していないと判断された場合には（Ｓ９０：ＮＯ）、表示制御部１６３の制御により、ディスプレイ７にインクカートリッジ１１０が未装着である旨を表示し、インクカートリッジ１１０が装着されるまで待機する（Ｓ９１）。装着が行われると、上述のステップＳ８９に戻る
【０１０４】
以上のように、本実施形態では、本体部２０が、各装着部５ａ〜５ｄに装着されたインクカートリッジ１１０に対して、貯留しているインクの色を確認する確認信号を出力する確認信号出力部１６２と、マイク８とを備えている。また、インクカートリッジ１１０は、確認信号が確認する色と、カートリッジ情報記憶部１１６に記憶されているインクの色とが一致するか否かを判断する判断部１１７を備えている。すなわち、確認信号出力部１６２が、装着部５ａ〜５ｄに装着されたインクカートリッジ１１０に対して、該装着部５ａ〜５ｄに装着されるべきインクカートリッジ１１０に対応する色のインクが貯留されているかを確認する確認信号を出力した際に、この確認信号を受信したインクカートリッジ１１０の判断部１１７で、確認信号が確認する色と、カートリッジ情報記憶部１１６に記憶されているインクの色とが一致するか否かを判断することで、該インクカートリッジ１１０が装着されるべき装着部５ａ〜５ｄに装着されているかを判断することができる。さらに、確認信号が確認する色とカートリッジ情報記憶部１１６に記憶されているインクの色とが一致すると判断部１１７が判断した場合に、音声信号を生成して当該インクカートリッジ１１０のスピーカ１３に出力する音声信号生成部１１８を備えている。したがって、スピーカ１３から出力された音声をマイク８で受信することにより、確認信号にかかる色のインクを貯留するインクカートリッジ１１０が装着されていることを本体部２０に伝達できる。すなわち、各装着部５ａ〜５ｄに装着すべきインクカートリッジ１１０が装着されていることを確認できる。また、第１の実施形態と同様に、スピーカ１３とマイク８とは自由に配置できるので、設計の自由度が上がる。
【０１０５】
さらに、本実施形態では、確認信号出力部１６２が、装着部５ａ〜５ｄに装着すべきインクカートリッジ１１０に対応する色のインクが貯留されているかを確認する確認信号を出力した後、マイク８が音声を受信しなかった場合に、ディスプレイ７にインクカートリッジ１１０が誤装着又は未装着である旨を表示する。したがって、インクカートリッジ１１０が誤装着又は未装着である旨を使用者に知らせることができる。
【０１０６】
以上、本発明の好適な実施形態について説明したが、本発明は上述の実施の形態に限られるものではなく、特許請求の範囲に記載した限りにおいて、様々な設計変更を行うことが可能なものである。
【０１０７】
例えば、上述の第１及び第２の実施形態では、スピーカ１３が可聴域外の周波数の音声を発する場合について説明したが、可聴域の周波数の音声を発するようにしてもよい。
【０１０８】
さらに、上述の第１及び第２の実施形態では、本体部２０が、インクカートリッジ１０（１１０）が誤装着又は未装着である旨を表示するディスプレイ７を備えている場合について説明したが、これには限定されない。すなわち、例えば、誤装着又は未装着を報知する報知手段として、ランプや音声等を用いてもよい。また、ディスプレイ７等の報知手段が、本体部２０とは別に独立して設けられていてもよい。さらに、ディスプレイ７等の報知手段はなくてもよい。
【０１０９】
また、上述の第１及び第２の実施形態では、音声信号を生成しスピーカ１３に出力する音声信号生成部１８（１１８）が、インクカートリッジ１０（１１０）に備えられている場合について説明したが、これには限定されない。すなわち、音声信号生成部１８（１１８）は、本体部２０の制御装置６０（１６０）に備えられていてもよい。
【０１１０】
加えて、上述の第１の実施形態では、マイク８が受信した音声をインクカートリッジ１０に関する情報に変換する情報取得部６５と、情報取得部６５における変換によって生成されたインクカートリッジ１０に関する情報を記憶する取得情報記憶部６６とを備えている場合について説明したが、これら情報取得部６５及び取得情報記憶部６６はなくてもよい。
【符号の説明】
【０１１１】
１、１０１  インクジェットプリンタ（記録装置）
５、５ｂ〜５ｄ  装着部
７  ディスプレイ（報知手段）
８  マイク（音声受信手段）
１０、１１０  インクカートリッジ
１３  スピーカ（音声出力手段）
１６、１１６  カートリッジ情報記憶部（カートリッジ情報記憶手段）
１８、１１８  音声信号生成部（音声信号生成手段）
２０  本体部
６２  発音要求部（発音要求手段）
６３  判断情報記憶部（判断情報記憶手段）
６４  判断部（判断手段）
６５  情報取得部（情報取得手段）
６６  取得情報記憶部（取得情報記憶手段）
１６２  確認信号出力部（確認信号出力手段）
１１７  判断部（判断手段）
【図１】
2010234645.tif 000003
【図２】
2010234645.tif 000004
【図３】
2010234645.tif 000005
【図４】
2010234645.tif 000006
【図５】
2010234645.tif 000007
【図６】
2010234645.tif 000008
【図７】
2010234645.tif 000009
【図８】
2010234645.tif 000010
【図９】
2010234645.tif 000011
【図１０】
2010234645.tif 000012
【図１１】
2010234645.tif 000013
【図１２】
2010234645.tif 000014
【図１３】
2010234645.tif 000015
【図１４】
2010234645.tif 000016